(57)【要約】【課題】  軸部材と石突本体とを首振り自在に連結すると共に、両者を容易に分解することができる杖用石突を提供することを課題とする。【解決手段】  歩行路面に接する石突本体３１と、石突本体３１と杖本体との間に介設された軸部材３２と、石突本体３１の接路面６１ａに垂直な中心軸３４に対し、石突本体３１と軸部材３２とを相対的に首振り自在に連結した自在連結部材３３と、を備えた杖用石突３において、自在連結部材３３は、接合受け部６３の窪入中心部に形成された逃げ開口６５より太径で且つ接合受け部６３の下面突出部６３ｂに倣った湾曲形状に形成された湾曲プレート８２と、逃げ開口６５に挿通されると共に、湾曲プレート８２を、接合半球部４１との間で接合受け部６３を挟持するように軸部材３２に着脱自在に連結する連結ピン８１と、を有する。【選択図】  図２
0003114577.tif 000002
【実用新案登録請求の範囲】
【請求項１】
歩行路面に接する石突本体と、
前記石突本体と杖本体との間に介設された軸部材と、
前記石突本体の接路面に垂直な中心軸に対し、前記石突本体と前記軸部材とを相対的に首振り自在に連結した自在連結部材と、を備えた杖用石突において、
前記石突本体は、前記歩行路面に接する接路部と、前記接路部に支持され、上面が半球窪入状となるように下方に突出形成された湾曲板状の接合受け部と、を有し、
前記軸部材は、上端部で前記杖本体に装着され、下端部に前記接合受け部の上面窪入部と略相補的な略半球形状に形成され、前記接合受け部に接合する接合半球部を有し、
前記自在連結部材は、前記接合受け部の窪入中心部に形成された逃げ開口より太径で且つ前記接合受け部の下面突出部に倣った湾曲形状に形成された湾曲プレートと、前記逃げ開口に挿通されると共に、前記湾曲プレートを、前記接合半球部との間で前記接合受け部を挟持するように前記軸部材に着脱自在に連結する連結ピンと、を有することを特徴とする杖用石突。
【請求項２】
前記接路部は、相互に離間して配設された３個の接路部材により構成されていることを特徴とする請求項１に記載の杖用石突。
【請求項３】
前記逃げ開口は、円形に形成され、
前記自在連結部材は、前記中心軸から全方向に傾動自在となるように、前記石突本体と前記軸部材とを連結することを特徴とする請求項１または２に記載の杖用石突。
【請求項４】
前記軸部材の最大傾動角度を、いずれの方向にも一定の角度に規制する傾動規制部を、さらに備え、
前記傾動規制部は、前記接合受け部の上面窪入部の周縁部と、前記接合半球部の上端部外周面に突設され、前記軸部材の軸心が前記中心軸と一致するときに、前記上面窪入部の周縁部と間隙を存して平行に対峙するフランジ部と、から構成されていることを特徴とする請求項３に記載の杖用石突。
【請求項５】
前記軸部材の最大傾動角度を、いずれの方向にも一定の角度に規制する傾動規制部を、さらに備え、
前記傾動規制部は、前記接合受け部の下面突出部の周縁部と、前記接合受け部の下面突出部の周縁部と同心円状に形成されると共に、前記連結ピンを自身の中心に挿通する前記湾曲プレートと、から構成されていることを特徴とする請求項３に記載の杖用石突。
【請求項６】
前記傾動規制部材は、前記軸部材の最大傾動角度を、８°から１２°までの一定の角度に規制することを特徴とする請求項４または５に記載の杖用石突。
【請求項７】
前記連結ピンは、前記軸部材の軸心を貫通する軸孔に挿通されており、
前記自在連結部材は、前記軸部材と前記連結ピンとの間に設けられ、前記軸部材を受けとして、前記連結ピンを引き付ける方向に付勢するばね部材を、さらに有することを特徴とする請求項１ないし６のいずれかに記載の杖用石突。
【考案の詳細な説明】
【技術分野】
【０００１】
本考案は、杖本体が首振り自在となるように、杖本体に装着される杖用石突に関するものである。
【背景技術】
【０００２】
従来、歩行路面に接する自在接地体（石突本体）と、自在接地体とステッキ本体（杖本体）との間に介設された球形自在継手部（軸部材）とを備え、自在接地体と球形自在継手部とを相対的に首振り自在に連結することで、ステッキ本体が自在接地体の摩擦接地面（接路面）に対して首振り自在となる杖用石突が知られている（例えば、特許文献１参照）。このような杖用石突は、摩擦接地面に対してステッキ本体を首振りさせることで、歩行路面が傾斜している場合にも、摩擦接地面を歩行路面に確実に当接させることができるものである。
【０００３】
そして、球形自在継手部と自在接地体とを連結する構成としては、球形自在継手部の球形部（接合半球部）を自在接地体の椀状嵌合部（接合受け部）に嵌合した状態で、リング状の規制金具体を上方から球形自在継手部に嵌合させ、規制金具体の周縁と、椀状嵌合部を形成する芯金具の立ち上がり内周面とを接着剤にて固定することが提案されている。
【特許文献１】特開平６−３１９６０８号公報
【考案の開示】
【考案が解決しようとする課題】
【０００４】
しかしながら、このような杖用石突では、接着固定された規制金具体により、球形自在継手部が自在接地体に連結されているため、球形自在継手部と自在接地体とを容易に分解することができなかった。このため、杖の使用（歩行）中或いは保管中に、球形自在継手部の球形部と自在接地体の椀状嵌合部との間に砂粒等の微粒子が入り込み、首振り角度が規制されてしまうような場合にも、これを分解して砂粒等を取り除くことが容易でなく、不便であった。
【０００５】
本考案は、軸部材と石突本体とを首振り自在に連結すると共に、両者を容易に分解することができる杖用石突を提供することを目的とする。
【課題を解決するための手段】
【０００６】
本考案の杖用石突は、歩行路面に接する石突本体と、石突本体と杖本体との間に介設された軸部材と、石突本体の接路面に垂直な中心軸に対し、石突本体と軸部材とを相対的に首振り自在に連結した自在連結部材と、を備えた杖用石突において、石突本体は、歩行路面に接する接路部と、接路部に支持され、上面が半球窪入状となるように下方に突出形成された湾曲板状の接合受け部と、を有し、軸部材は、上端部で杖本体に装着され、下端部に接合受け部の上面窪入部と略相補的な略半球形状に形成され、接合受け部に接合する接合半球部を有し、自在連結部材は、接合受け部の窪入中心部に形成された逃げ開口より太径で且つ接合受け部の下面突出部に倣った湾曲形状に形成された湾曲プレートと、逃げ開口に挿通されると共に、湾曲プレートを、接合半球部との間で接合受け部を挟持するように軸部材に着脱自在に連結する連結ピンと、を有することを特徴とする。
【０００７】
この構成によれば、連結ピンは、接合受け部との間に挟持するように軸部材に連結した湾曲プレートにより、上方に抜止め状態となっている。このため、石突本体に対し、軸部材が上方に引き離されることがない。また、逃げ開口により、軸部材の首振りに伴う連結ピンの首振りが許容される。これにより、石突本体に対して軸部材が首振り自在に連結される。さらに、連結ピンは、湾曲プレートを軸部材に着脱自在に連結しているため、その連結を解除することにより、軸部材と石突本体とを容易に分解することができる。したがって、軸部材と石突本体とを相対的に首振り自在に連結すると共に、両者を容易に分解することができる。
なお、首振りとは、中心軸に対して一方向のみに、石突本体と軸部材とを相対的に傾動させてもよく、中心軸に対して複数方向に、さらには全方向に、これらを相対的に傾動させてもよい。
【０００８】
この場合、接路部は、相互に離間して配設された３個の接路部材により構成されていることが好ましい。
【０００９】
この構成によれば、３個の接路部材により、杖の使用者の体重が分散して支えられるようになっている。
【００１０】
これらの場合、逃げ開口は、円形に形成され、自在連結部材は、中心軸から全方向に傾動自在となるように、石突本体と軸部材とを連結することが好ましい。
【００１１】
この構成によれば、円形に形成された逃げ開口が、軸部材の首振り（傾動）に伴って傾動する連結ピンを全方向に逃がすため、石突本体と軸部材とが、中心軸に対して全方向（３６０°）に相対的に傾動自在となる。このため、でこぼこ道を歩行する場合にも、石突本体の向きをいちいち変えることなく、接路面を確実に歩行路面に当接させることができ、使用者は安全に歩行することができる。
【００１２】
これらの場合、軸部材の最大傾動角度を、いずれの方向にも一定の角度に規制する傾動規制部を、さらに備え、傾動規制部は、接合受け部の上面窪入部の周縁部と、接合半球部の上端部外周面に突設され、軸部材の軸心が中心軸と一致するときに、上面窪入部の周縁部と間隙を存して平行に対峙するフランジ部と、から構成されていることが好ましい。
【００１３】
この構成によれば、フランジ部と接合受け部の上面窪入部の周縁部とが平行に対峙しているため、軸部材がいずれの方向にも均一な角度だけ傾動した場合に、フランジ部が上面窪入部の周縁部と当接する。これにより、軸部材の最大傾動角度が、いずれの方向にも一定の角度に規制される。したがって、軸部材の上端部に装着された杖本体が、歩行時に必要以上に傾動することがなくなるため、杖本体が過度に傾くことによる危険性を排除することができる。
【００１４】
またこれらの場合、軸部材の最大傾動角度を、いずれの方向にも一定の角度に規制する傾動規制部を、さらに備え、傾動規制部は、接合受け部の下面突出部の周縁部と、接合受け部の下面突出部の周縁部と同心円状に形成されると共に、連結ピンを自身の中心に挿通する湾曲プレートと、から構成されていることが好ましい。
【００１５】
この構成によれば、湾曲プレートに挿通した連結ピンがいずれの方向にも均一な角度だけ傾動した場合に、接合受け部の下面突出部の周縁部と湾曲プレートの外周面とが当接し、湾曲プレート８２の移動端位置がいずれの方向にも均一となるように位置規制される。これにより、軸部材の最大傾動角度が、いずれの方向にも一定の角度に規制される。したがって、この場合も、軸部材の上端部に装着された杖本体が、歩行時に必要以上に傾動することがなくなるため、杖本体が過度に傾くことによる危険性を排除することができる。
【００１６】
これらの場合、傾動規制部材は、軸部材の最大傾動角度を、８°から１２°までの一定の角度に規制することが好ましい。
【００１７】
この構成によれば、軸部材の最大傾動角度が、８°から１２°までの一定の角度となるため、杖を必要とする高齢者等が通常歩行する歩行路面においては、接路面を歩行路面に確実に当接させることができると共に、杖本体を必要以上に傾動させることがないため、杖の使用者は安全に歩行することができる。
【００１８】
これらの場合、連結ピンは、軸部材の軸心を貫通する軸孔に挿通されており、自在連結部材は、軸部材と連結ピンとの間に設けられ、軸部材を受けとして、連結ピンを引き付ける方向に付勢するばね部材を、さらに有することが好ましい。
【００１９】
この構成によれば、ばね部材により、軸部材を受けとして連結ピンが引き付けられることで、連結ピンを介して、石突本体と軸部材とが適度に引き付け合うことになる。したがって、石突本体の接合受け部と軸部材の接合半球部との接合具合を、適切な状態に維持することができ、適切に石突本体と軸部材とを相対的に首振りさせることができる。
【考案の効果】
【００２０】
本考案によれば、軸部材と石突本体とを傾動自在に連結すると共に、両者を容易に分解することができる。したがって、杖の使用中或いは保管中に、軸部材の接合半球部と石突本体の接合受け部との間に砂粒等が入り込んだ場合にも、これを即座に分解して砂粒等を取り除くことができる。
【考案を実施するための最良の形態】
【００２１】
以下、添付の図面を参照して、本考案に係る杖用石突を適用した杖の一実施形態について説明する。この杖は、石突の接路面に対して杖本体を傾動させることで、歩行路面が傾斜している場合にも、接路面を歩行路面に確実に当接させることができるものである。
【００２２】
図１に示すように、本実施形態の杖Ａは、ロッド状の杖本体１と、杖本体１の上端部に取り付けられた取っ手２と、杖本体１の下端部に取り付けられた石突３とを備えている。
【００２３】
杖本体１は、入れ子式の構造を有しており、アルミ等の金属製で、上端部に取っ手２が取り付けられる円筒状の受けロッド１１と、アルミ等の金属製で、下端部に石突３が取り付けられると共に受けロッド１１にスライド自在に挿入される円筒状のスライドロッド１２と、樹脂等で構成され、受けロッド１１とスライドロッド１２とを接続する接続部材１３とから構成されている。
【００２４】
受けロッド１１の下半部には、複数の調整孔１４が長さ方向（上下方向）に等間隔で列設されている。また、スライドロッド１２の上端部近傍には、係止孔（図示省略）が形成されていると共に、係止孔からばね力等により係止ピン１５が突出している。そして、受けロッド１１の複数の調整孔１４のうち任意の調整孔１４に対し、スライドロッド１２をスライドさせて係止ピン１５を臨ませることで、その調整孔１４に係止ピン１５がばね力で突出係合し、杖本体１が使用者の身長に応じた任意の長さにセットされる。
【００２５】
また、スライドロッド１２の下端部近傍には、装着孔１６が形成されている。そして、スライドロッド１２の下端部を、後述する石突３の軸部材３２の装着円柱部４５に嵌合させ、スライドロッド１２の装着孔１６と、石突３の軸部材３２に形成されたねじ孔５５（図２参照）とを合わせ、この装着孔１６およびねじ孔５５に小ねじ（図示省略）を通してねじ止めすることで、杖本体１に石突３が装着されるようになっている。
【００２６】
取っ手２は、樹脂等で構成され、使用者が握る部分となる把持部２１と、杖本体１（受けロッド１１）の上端部を差し込むための取付凹部（図示省略）を形成した差込部２２とで一体に形成されている。
【００２７】
図１および図２に示すように、石突３は、歩行路面Ｂに接する石突本体３１と、石突本体３１と杖本体１との間に介設された軸部材３２と、石突本体３１の接路面６１ａに垂直な中心軸３４に対し、石突本体３１と軸部材３２とを相対的に傾動（首振り）自在に連結した自在連結部材３３とを備えている。
【００２８】
図２および図３に示すように、軸部材３２は、アルミ等の金属製（鋳物）であり、下側から順に、後述する接合受け部６３の上面窪入部６３ａと略相補的な略半球形状に形成された接合半球部４１と、接合半球部４１の上端部外周面に突設されたフランジ部４２と、フランジ部４２に連なり、山形形状を有する山形部４３と、環状の外周段部４４を介して山形部４３の上端に連なり、スライドロッド１２の下端部に嵌合する略円柱形状の装着円柱部４５とで一体に形成されている。
【００２９】
また、軸部材３２には、後述する連結ピン８１を挿通するための軸孔５１が軸心に貫通形成されている。軸孔５１は、軸部材３２（装着円柱部４５）の上端側に開放させた太径部５２と、環状の内周段部５３を介して太径部５２の下端に連なり、軸部材３２（接合半球部４１）の下端側に開放させた細径部５４とから成っている。この太径部５２に後述する自在連結部材３３の圧縮コイルばね８４が収容されると共に、内周段部５３に圧縮コイルばね８４が支持されるようになっている。
【００３０】
装着円柱部４５には、上記のスライドロッド１２の下端部が嵌合し、スライドロッド１２の下端面が外周段部４４の上面に当接するようになっている。さらに、装着円柱部４５の上下方向略中間部には、軸孔５１の細径部５４に連なるねじ孔５５が形成されている。そして、上述したように、このねじ孔５５と、スライドロッド１２の装着孔１６とを合わせ、小ねじにより固定することで、杖本体１に石突３が装着されるようになっている。
【００３１】
図２および図４に示すように、フランジ部４２は、上記の中心軸３４と軸部材３２の軸心とが一致する（石突本体３１に対して直立状態）ときに、後述する石突本体３１の接合受け部６３における上面窪入部６３ａの周縁部６６と間隙を存して平行に対峙するようになっており、詳細は後述するが、軸部材３２の最大傾動角度を、いずれの方向にも一定の角度（８°〜１２°が好ましく、ここでは１０°）に規制するようになっている。
【００３２】
石突本体３１は、歩行路面Ｂと接する接路面６１ａを構成する３個の接路部材６１と、３個の接路部材６１に支持されると共に、軸部材３２の接合半球部４１が上方から接合する接合受け部６３を形成した略三角ドーム形状の受け部形成体６２と、受け部形成体６２の下側開口部を塞ぐように取り付けられる略「Ｙ」字状のカバープレート６４とで構成されている。
【００３３】
３個の接路部材６１は、それぞれ合成ゴム等により略円錐台（円筒）状に形成されており、その小円部分を接路面６１ａとして、受け部形成体６２の下面の離間した三箇所（平面視三角形の頂点部分）にねじ止め固定されている。このように相互に離間して配設された３個の接路部材６１により、使用者の体重が分散して支えられるようになっている。
【００３４】
受け部形成体６２は、アルミ等の金属製（鋳物）であり、平面視略三角形状で且つ縦断面視略「Ｍ」字状の略三角ドーム形状を有している。受け部形成体６２の上部には、上記の軸部材３２の接合半球部４１と略相補的な略半球窪入形状を有する湾曲板状の接合受け部６３が下方に突出形成されており、この接合受け部６３に接合半球部４１が上方から接合するようになっている。また、接合受け部６３の窪入中心部には、自在連結部材３３の連結ピン８１が挿通する円形開口６５（逃げ開口）が形成されている。
【００３５】
この接合受け部６３が軸部材３２の接合半球部４１と略相補的な形状に形成されているため、軸部材３２は、石突本体３１に対して、接合半球部４１の中心（接合半球部４１を構成する仮想球の中心）を傾動中心として傾動するようになっている。さらに、接合受け部６３に形成された円形開口６５が、軸部材３２の傾動に伴って傾動する連結ピン８１を全方向に逃がすため、石突本体３１と軸部材３２とは、上記の中心軸３４に対して全方向に傾動するようになっている。なお、石突本体３１と軸部材３２とを中心軸３４に対して一方向のみに傾動させる場合には、円形開口６５に代えて、その方向に長い長円形を形成してもよい。
【００３６】
接合受け部６３の上面窪入部６３ａの周縁部６６（上面周縁部）は、接路面６１ａと平行であると共に、直立状態にある軸部材３２のフランジ部４２と平行に対峙しており、軸部材３２の最大傾動角度を、いずれの方向にも一定の角度に規制するようになっている。また、接合受け部６３の下面突出部６３ｂの周縁部６７（下面周縁部）は、後述する湾曲プレート８２の移動端を位置規制することで、軸部材３２の最大傾動角度を、いずれの方向にも一定の角度に規制するようになっている。（詳細は後述する）。
【００３７】
一方、受け部形成体６２の下面には、平面視三角形の各頂点部分に、上記の接路部材６１が取り付けられる円形の取付部７１が突出形成されている。さらに、受け部形成体６２の下面には、カバープレート６４が嵌め込まれる略「Ｙ」字状、すなわち、円板を周方向均等間隔で３箇所を半円形に切り欠いた形状の嵌合凹部７２が形成されており、受け部形成体６２のドーム斜面内面（下面）には、カバープレート６４をねじ止めするためのねじ孔５５を有する円筒状の円筒凸部７３が３箇所に突出形成されている。
【００３８】
カバープレート６４は、ステンレス等の金属板で構成され、略「Ｙ」字状に形成されている。そして、カバープレート６４を受け部形成体６２の嵌合凹部７２に下方から嵌め込み、ねじ止めすることで、カバープレート６４が受け部形成体６２の下側開口部に取り付けられる。
【００３９】
このカバープレート６４により、杖の使用時或いは保管時に、砂粒や埃等が受け部形成体６２の下側開口部から内部に入り込むのを防止していると共に、軸部材３２と石突本体３１とを分解するときには、このカバープレート６４を取り外すことにより、自在連結部材３３の連結ピン８１等を取り出せるようになっている。
【００４０】
自在連結部材３３は、接合受け部６３の円形開口６５に挿通される連結ピン８１と、連結ピン８１の頭部８６と接合受け部６３の下面突出部６３ｂとの間に挟持された湾曲プレート８２と、連結ピン８１の先端部に螺合（係止）する２個の六角ナット８３と、軸部材３２と六角ナット８３との間に介設された圧縮コイルばね８４とを有している。
【００４１】
湾曲プレート８２は、ステンレス等の金属板で構成されており、接合受け部６３の下面周縁部６７と同心円上に形成されると共に、接合受け部６３の下面突出部６３ｂに倣った湾曲形状を有している。また、湾曲プレート８２の中心部には、接合受け部６３の円形開口６５よりも細径の挿通孔（図示省略）が形成されており、円形開口６５に挿通された連結ピン８１の頭部８６と接合受け部６３の下面突出部６３ｂとの間に挟持されている。詳細は後述するが、この湾曲プレート８２は、連結ピン８１の抜止めとして機能するものである。
【００４２】
連結ピン８１は、湾曲プレート８２よりも細径且つその挿通孔よりも太径で、湾曲プレート８２の下面に座面が当接する頭部８６と、頭部８６に連なり湾曲プレート８２の挿通孔および接合受け部６３の円形開口６５、さらには軸部材３２の軸孔５１に挿通される胴部８７とから構成されている。
【００４３】
連結ピン８１の胴部８７は、湾曲プレート８２の挿通孔と略同径に形成されており、軸部材３２の軸孔５１に挿通され、その先端部は軸孔５１の上端部から露出している。また、胴部８７の先端部には、２個の六角ナット８３が螺合するための雄ねじが形成されている。
【００４４】
圧縮コイルばね８４は、上述したように、軸部材３２の軸孔５１の太径部５２にその下半部が収容されると共に、内周段部５３に支持されるようになっている。この圧縮コイルばね８４に抗して、連結ピン８１の先端部から２個の六角ナット８３を螺合する（ダブルナット締結）。このため、圧縮コイルばね８４は、軸部材３２（内周段部５３）を受けとして、２個の六角ナット８３を介して連結ピン８１を引き付ける方向（上方向）に付勢している。そして、連結ピン８１は、２個の六角ナット８３および圧縮コイルばね８４を介して、湾曲プレート８２を軸部材３２に着脱自在に連結している。
【００４５】
このように構成された自在連結部材３３により、石突本体３１と軸部材３２とが相対的に傾動自在に連結される。すなわち、連結ピン８１は、接合受け部６３との間に挟持するように軸部材３２に連結した湾曲プレート８２により、上方に抜止め状態となっている。このため、石突本体３１に対し、軸部材３２が上方に引き離されることがない。また、接合受け部６３の円形開口６５により、軸部材３２の傾動に伴う連結ピン８１の傾動が許容されている。
【００４６】
さらに、圧縮コイルばね８４により、石突本体３１と軸部材３２とが適度に引き付け合うことになる。これにより、石突本体３１の接合受け部６３と軸部材３２の接合半球部４１との接合具合を、適切な状態に維持することができ、適切に石突本体３１と軸部材３２とを相対的に傾動させることができる。
【００４７】
また、軸部材３２のフランジ部４２と接合受け部６３の上面周縁部６６とが平行に対峙しているため、軸部材３２がいずれの方向にも均一な角度だけ傾動した場合に、フランジ部４２が上面周縁部６６と当接する。これにより、軸部材３２の最大傾動角度が、いずれの方向にも一定の角度（１０°）に規制される（図５参照）。したがって、軸部材３２に装着された杖本体１が、歩行時に必要以上に傾動することがなくなるため、杖本体１が角に傾くことによる危険性を排除することができる。しかも、最大傾動角度が１０°となるように設計されていることで、杖Ａを必要とする高齢者等が通常歩行する歩行路面Ｂにおいては、接路面６１ａを歩行路面Ｂに確実に当接させることができると共に、杖本体１を必要以上に傾動させることがないため、使用者は安全に歩行することができる。
【００４８】
同様に、湾曲プレート８２に挿通した連結ピン８１がいずれの方向にも均一な角度だけ傾動した場合に、下面周縁部６７と湾曲プレート８２の外周面とが当接し、湾曲プレート８２の移動端位置がいずれの方向にも均一となるように位置規制される。これにより、軸部材３２の最大傾動角度が、いずれの方向にも一定の角度（１０°）に規制される。つまり、本実施形態では、上面周縁部６６およびフランジ部４２と、下面周縁部６７および湾曲プレート８２とによって、軸部材３２の最大傾動角度が１０°に規制されている。もちろん、いずれか一方によって、最大傾動角度を規制する構成であってもよい。
【００４９】
以上のように構成された石突３は、まず、カバープレート６４を石突本体３１から取り外し、接合受け部６３の円形開口６５に、湾曲プレート８２を首下部分に取り付けた連結ピン８１を下方から挿通すると共に、その連結ピン８１を軸孔５１に挿通するようにして、軸部材３２の接合半球部４１を接合受け部６３に上方から接合させる。さらに、圧縮コイルばね８４を、連結ピン８１の先端部に巻装させるようにして、軸孔５１の上方から挿入し、その圧縮コイルばね８４に抗して、２個の六角ナット８３を連結ピン８１の先端部に螺合させ、最後にカバープレート６４を石突本体３１に取り付けることにより、組み立てられる。
【００５０】
一方、石突３を分解するときには、カバープレート６４を石突本体３１から取り外すと共に、２個の六角ナット８３を連結ピン８１からはずすことで、六角ナット８３を介して軸部材３２に支持されていた連結ピン８１が下方に抜け落ちるようにして取り外され、連結ピン８１による湾曲プレート８２と軸部材３２との連結が解除される。これにより、軸部材３２と石突本体３１とを容易に分解することができる。しかも、２個の六角ナット８３は、軸孔５１の上端部から露出した連結ピン８１（胴部８７）の先端部に係脱自在に係止しているため、これに容易にアクセスすることができ、容易に取り外すことができる。
【００５１】
以上のように、本実施形態の石突３によれば、軸部材３２と石突本体３１とを相対的に傾動自在に連結すると共に、両者を容易に分解することができる。したがって、杖Ａの使用中等に、軸部材３２の接合半球部４１と石突本体３１の接合受け部６３との間に砂粒等が入り込んだ場合にも、これを即座に分解して砂粒等を取り除くことができる。
【００５２】
次に、本考案に係る石突の他の実施形態について説明する。図６に示すように、第２実施形態の石突３は、上記の石突３と略同様の構成であるが、石突本体３１と軸部材３２とを相対的に傾動自在に連結する自在連結部材３３が、湾曲プレート８２と、連結ねじ９１（連結ピン）とにより構成されている点で、相違している。
【００５３】
軸部材３２の接合半球部４１には、その下端部に連結ねじ孔（図示省略）が形成されている。また、連結ねじ９１は、湾曲プレート８２よりも細径且つその挿通孔よりも太径で、湾曲プレート８２の下面に座面が当接する頭部９６と、雄ねじが形成された胴部９７とから構成されている。そして、連結ねじ９１は、接合受け部６３の円形開口６５に挿通されると共に、接合半球部４１の連結ねじ孔に螺合することで、湾曲プレート８２を軸部材３２に着脱自在に連結している。
【００５４】
このように構成された自在連結部材３３によっても、石突本体３１と軸部材３２とが相対的に傾動自在に連結される。すなわち、連結ねじ９１は、接合受け部６３の下面突出部６３ｂとの間に挟持するように軸部材３２に連結した湾曲プレート８２により、上方に抜止め状態となっている。このため、石突本体３１に対し、軸部材３２が上方に引き離されることがない。また、接合受け部６３の円形開口６５により、軸部材３２の傾動に伴う連結ねじ９１の傾動が許容されている。
【００５５】
さらに、石突本体３１のカバープレート６４を取り外した上で、連結ねじ９１を軸部材３２から取り外すことにより、軸部材３２と石突本体３１とを容易に分解することができる。したがって、第２実施形態の石突３においても、石突本体３１と軸部材３２とを相対的に傾動自在に連結することができると共に、両者を容易に分解することができる。
【図面の簡単な説明】
【００５６】
【図１】本考案を適用した石突に杖本体を装着した杖の正面図である。
【図２】（ａ）は本考案の第１実施形態に係る石突の正面図、（ｂ）はその縦断面図である。
【図３】（ａ）は石突の軸部材の正面図、（ｂ）はその底面図である。
【図４】石突の石突本体の底面図である。
【図５】本考案を適用した石突に杖本体を装着した杖の使用状態を示す正面図である。
【図６】本考案の第２実施形態に係る石突の縦断面図である。
【符号の説明】
【００５７】
１・・・杖本体  ３・・・石突  ３１・・・石突本体  ３２・・・軸部材  ３３・・・自在連結部材  ３４・・・中心軸  ４１・・・接合半球部  ４２・・・フランジ部  ５１・・・軸孔  ６１・・・接路部材  ６１ａ・・・接路面  ６３・・・接合受け部  ６５・・・円形開口  ６６・・・上面周縁部  ６７・・・下面周縁部  ８１・・・連結ピン  ８２・・・湾曲プレート  ８４・・・圧縮コイルばね  ８６・・・頭部
【図１】
0003114577.tif 000003
【図２】
0003114577.tif 000004
【図３】
0003114577.tif 000005
【図４】
0003114577.tif 000006
【図５】
0003114577.tif 000007
【図６】
0003114577.tif 000008